(57)【特許請求の範囲】
【請求項１】
ワイヤレス通信システムにおいてチャネルについてのチャネル品質データを送信する方法であって、
前記チャネル内のそれぞれの周波数位置における複数の周波数間隔のうちのそれぞれの周波数間隔のチャネル品質情報にそれぞれが基づく、複数のメトリックを決定するステップと、
前記メトリックに基づいて複数M個の周波数間隔を選択するステップと、
K+1個の周波数間隔のM個の排他的グループを決定するステップであって、各グループが、前記M個の周波数間隔に対応する周波数間隔のうちのそれぞれの周波数間隔と、前記M個の周波数間隔のすぐ周囲にあるK個の周波数間隔とからなり、Kが周波数間隔間の相関の推定値に基づくステップと、
前記M個の周波数間隔の周波数位置を送信するステップと、
前記M個のグループの全ての前記M(K+1)個の周波数間隔について同じチャネル品質インジケータを送信するステップと
を含む方法。
【請求項２】
Kが周波数間隔間の相関の所定の推定値に基づいて事前選択される、請求項1に記載の方法。
【請求項３】
周波数間隔間の相関の前記所定の推定値をシステム設計において決定するステップと、
前記相関に応じてKを事前選択するステップと
を含む、請求項2に記載の方法。
【請求項４】
Kが、特定のチャネル条件下での周波数間隔間の前記相関の推定値を提供する測定値に基づいた基準に基づく、請求項1に記載の方法。
【請求項５】
周波数間隔間の前記相関の推定値をチャネル条件に基づいて導出するステップと、
前記相関に応じてKを選択するステップと
を含む、請求項1に記載の方法。
【請求項６】
前記推定値が周波数間隔間の前記チャネル品質インジケータの相関の推定値である、請求項1から5の何れか１項に記載の方法。
【請求項７】
前記送信されたチャネル品質情報が、前記M個のチャネル品質インジケータの前記周波数間隔に隣接する周波数間隔をスケジュールするのに使用されることになるかどうかを示すインジケータを送信するステップをさらに含む、請求項1から6の何れか１項に記載の方法。
【請求項８】
前記選択された周波数間隔が、選択基準に基づくM個の間隔である、請求項1から7の何れか１項に記載の方法。
【請求項９】
前記選択基準が、最も高いチャネル品質インジケータ値を有するM個の周波数間隔の選択を含む、請求項8に記載の方法。
【請求項１０】
システム帯域幅または動作帯域幅にわたるチャネル品質インジケータ情報を送信するステップをさらに含む、請求項1から9の何れか１項に記載の方法。
【請求項１１】
前記同じチャネル品質インジケータ情報を、前記システム帯域幅または前記動作帯域幅にわたる前記チャネル品質インジケータ情報に対して差分的に符号化するステップと、
前記同じチャネル品質インジケータ情報を、差分的に符号化された形で送信するステップと
を含む、請求項10に記載の方法。
【請求項１２】
ワイヤレス通信システムにおいて入来チャネルを受信するための受信機と、
前記チャネル内のそれぞれの周波数位置における複数の周波数間隔のうちのそれぞれの周波数間隔のチャネル品質情報にそれぞれが基づく複数のメトリックを決定するように構成された計算ブロックと、
前記メトリックに基づいて複数M個の周波数間隔を選択し、K+1個の周波数間隔のM個の排他的グループを決定するように構成された選択ブロックであって、各グループが、前記M個の周波数間隔に対応する周波数間隔のうちのそれぞれの周波数間隔と、前記M個の周波数間隔のすぐ周囲にあるK個の周波数間隔とからなり、Kが周波数間隔間の相関の推定値に基づく選択ブロックと、
前記M個の周波数間隔の周波数位置を送信し、前記M個のグループの前記M(K+1)個の周波数間隔について同じチャネル品質インジケータを送信するように構成された送信機と
を備えるユーザ機器。
【請求項１３】
Kが周波数間隔間の相関の所定の推定値に基づいて事前選択される、請求項12に記載のユーザ機器。
【請求項１４】
前記選択ブロックが、周波数間隔間の前記相関の推定値をチャネル条件に基づいて提供し、前記相関に応じてKを選択するように構成された、請求項12に記載のユーザ機器。
【請求項１５】
前記推定値が周波数間隔間の前記チャネル品質インジケータの相関の推定値である、請求項12から14の何れか１項に記載のユーザ機器。
【請求項１６】
受信機からフィードバックされたチャネル品質データを使用してワイヤレス通信システムにおいて送信する方法であって、
それぞれの周波数位置における複数の周波数間隔を含むワイヤレスチャネルを介して前記受信機に信号を送信するステップと、
周波数間隔の排他的グループの位置を受信するステップであって、各グループの前記周波数間隔が相互から所定数の周波数位置内にあり、前記グループのサイズが周波数間隔間の相関の所定の推定値に基づき、前記位置が、前記チャネルを介して受信された前記信号に基づいて前記受信機から返送されるステップと、
全ての前記グループの全ての前記周波数間隔について同じチャネル品質インジケータを受信するステップであって、前記チャネル品質インジケータが、前記チャネルを介して受信された前記信号に基づいて前記受信機から返送されるステップと、
前記同じチャネル品質インジケータを利用して、前記グループ内の前記複数の周波数間隔上での後続の送信をスケジュールするステップと
を含む方法。
【請求項１７】
前記推定値が周波数間隔間の前記チャネル品質インジケータの相関の推定値である、請求項16に記載の方法。
【請求項１８】
ワイヤレス通信システムにおいて使用するための送信機であって、
それぞれの周波数位置における複数の周波数間隔を含むワイヤレスチャネルを介して受信機に信号を送信するための送信手段と、
周波数間隔の排他的グループの位置を受信するための受信手段であって、各グループの前記周波数間隔が相互から所定数の周波数位置内にあり、前記グループのサイズが周波数間隔間の相関の所定の推定値に基づき、全ての前記グループの全ての前記周波数間隔について同じチャネル品質インジケータを受信するための受信手段であって、前記位置および前記チャネル品質インジケータが前記送信に基づいて前記受信機から返送される受信手段と、
前記同じチャネル品質インジケータを利用して、前記グループの前記周波数間隔上での後続の送信をスケジュールするように構成されたスケジューリング手段と
を備える送信機。
【請求項１９】
前記推定値が周波数間隔間の前記チャネル品質インジケータの相関の所定の推定値である、請求項18に記載の送信機。
【発明の詳細な説明】
【技術分野】
【０００１】
本発明は、ワイヤレスシステム、例えばセルラーワイヤレスシステムにおいて、チャネル品質情報を報告することに関する。
【背景技術】
【０００２】
適応変調符号化によるリンク適応は、ワイヤレスシステムにおいて、時間と共に変動するチャネルを介した頑強かつスペクトル的に効率的な送信を可能にする。この背後にある基本的な考えは、受信機においてチャネルを推定し、この推定を送信機にフィードバックすることである。送信機は、変調方式および符号レートをチャネル特性に適応させるために、その送信を調整する。フェーディング条件に適応しない変調符号化方式は、チャネル品質が乏しいときに許容可能な性能をサポートするために、固定リンクマージンを必要とする。この場合、これらのシステムは最悪の場合のチャネル条件に向けて設計され、その結果、チャネルの使用が非効率的になる。したがって、適応変調符号化方式は、平均スループットを増大させ、必要とされる送信電力およびビット誤り率を低減させることができるので、魅力がある。例えば、参考[1]〜[4](付録I)を参照されたい。
【０００３】
さらに、無線チャネルは常にいくらかの程度の周波数選択性の影響を受けるが、このことは、チャネル品質が周波数領域で変動することになることを含意する。この周波数変動は、OFDMシステムなどのマルチキャリアシステムの場合の、周波数軸を介したリンク適応方式にとって有益である可能性がある。周波数領域における適応変調符号化では、周波数領域で有利なチャネル条件を受けている周波数間隔(例えば副搬送波、または副搬送波のグループ)には、高い符号レートと共に、より高次の変調(例えば16QAMまたは64QAM)が適切であり、無線リンク条件の悪い周波数間隔には、QPSK変調および低レート符号化が使用される。
【０００４】
適応変調符号化の利点は、EGPRSおよびHSPAのようなセルラーシステムならびにワイヤレスLANを含めた、高度ワイヤレス通信システム中で、適応変調符号化が使用される動因となった。
【０００５】
図1は、受信機2がワイヤレスチャネル6を介して送信機4と通信する概略図である。送信機および受信機は、ワイヤレスセルラー環境での使用に適合された、基地局(またはノードB)および移動端末(またはユーザ機器(UE))とすることができる。受信機2は、とりわけチャネル品質を推定しチャネル品質インジケータ(CQI)値を提供するための、プロセッサ8を有する。送信機は、とりわけ受信機から受信するCQIに基づいて適応変調符号化を実施するための、プロセッサ10を備える。図1がかなり単純化されていることは容易に理解されるであろう。実際には、品質が時間と共にまた周波数領域において変動する多数のチャネルと共に、複数の受信機および送信機があってもよい。
【０００６】
ワイヤレスシステムのスペクトル効率を最大限にする別の魅力的な方式は、パケットスケジューラ14によって実施されるチャネル依存スケジューリングである。この機能は、共有リソース(例えば、OFDMのようなマルチキャリアシステムの場合の周波数間隔)の割振りを瞬間ごとに制御する。これは適応変調符号化方式と密接に関係し、これらはしばしば1つの結合機能と見なされる。というのは、これらは両方ともチャネル条件に適応しようとしているからである。例えばダウンリンクスケジューリングの第1の目標は、種々の多重化技法すなわち時分割多重化、周波数分割多重化、符号分割多重化、または空間分割多重化によって、ユーザを直交にすることである。第2の目標は、無線リソースを最大限にすることである。複数のユーザへの送信が並行して行われるとき、リソース(符号/周波数/時間/空間の領域における)が、最良の瞬間チャネル条件でユーザに割り当てられる。例えば、参考[5]を参照されたい。この戦略は、チャネル依存の日和見的スケジューリングの一例であり、スケジューラは瞬間的な無線リンク条件のみを考慮する。他の戦略は、遅延や公平さを、すなわち一般にQoS制約に関係するパラメータを考慮することができる。
【０００７】
適応変調符号化およびチャネル依存の日和見的スケジューリングを可能にするために、移動端末またはユーザ機器(UE)は、チャネル品質インジケータ(CQI)12を報告する。OFDMシステムでは、複数のユーザとの、リンク適応方式と結合された周波数領域におけるダウンリンクスケジューリングをサポートするために、各ユーザは、周波数間隔(副搬送波のグループ)ごとに、かつ時間の経過と共に、CQIを報告する必要がある。パケットスケジューラ14における完全なフレキシビリティを提供するためには、UE2は、周波数帯域全体にわたるCQI12を報告することが必要になり、これによりシグナリングオーバヘッドが非実際的に大きくなる。
【０００８】
図2は、それぞれの周波数位置i = 1, ..., Nにおける連続的な周波数間隔f1, ..., fNを含む周波数帯域の概略図である。各周波数間隔は、例えば、事前定義済みの数の隣接するOFDM副搬送波に対応する。
【０００９】
シグナリングオーバヘッドを低減させた周波数選択スケジューリングを可能にするために、CQIフィードバック削減のための多くの解決法が提案されてきた。これらの解決法は、各周波数間隔f1, ..., fNごとにCQI(CQI(1), ..., CQI(N))が報告される、一様なCQI報告グリッド(実施の複雑さの観点から実際的でない)から、最良CQIおよび最良周波数間隔(例えば間隔fiについてのCQI(i))の指示のみを報告することまでに及ぶ。後者の方式は、ユーザがその最良周波数間隔で優先的にスケジュールされることになることに基づき、したがって、最良のリソースブロックについてのCQIが、スケジューラ14の主要な関心である。後者の方式の一変形は、M個の最良周波数間隔についてのCQI、すなわち、f1、fi、およびfi+k (M = 3)についてのCQI(1)、CQI(i)、CQI(i+k)を報告することである。別の可能性は、最良CQIから事前定義済みしきい値内にある周波数間隔にわたる平均CQIのフィードバックに基づいた、しきい値に基づくCQI報告を採用することである。他の解決法は、M個の最良周波数間隔にわたる、または最良CQIから事前定義済みしきい値内にある周波数間隔にわたる平均CQIを報告することによって、CQIフィードバックのオーバヘッドを削減することを目指す。これらの方式に加えて、離散コサイン変換やウェーブレット変換などいくつかの既知の圧縮方法を適用して、CQI報告を符号化するのに必要とされるビット数をさらに削減することが提案されている。
【００１０】
これらの方式の主な欠点は以下のとおりである。
-  スケジューリングフレキシビリティの欠如  -  システム過負荷、スケジューリングタイプ、または実際上の理由など種々の理由で、パケットスケジューラは、報告された周波数間隔とは異なる周波数間隔をユーザに割り当てる必要がある場合がある。上で報告したCQI方式は、報告された周波数間隔以外についてのチャネル品質情報を提供しない。
-  平均されたCQIのフィードバックの場合、平均されたチャネル品質を報告することがチャネル情報を破壊することがある。周波数および/または時間におけるチャネル変動性に応じて、平均化は、特定の周波数におけるチャネル条件に関する情報を破壊する可能性がある。
-  シグナリングオーバヘッド  -  前述の方式は、報告されるCQIの対象である周波数間隔のインデックスiを報告する必要がある。
【発明の概要】
【課題を解決するための手段】
【００１１】
本発明の一態様によれば、ワイヤレス通信システムにおいてチャネルについてのチャネル品質データを送信する方法が提供され、この方法は、
チャネル内のそれぞれの周波数位置における複数の周波数間隔のうちのそれぞれの周波数間隔のチャネル品質情報にそれぞれが基づく、複数のメトリックを決定するステップと、
前記メトリックに基づいて複数M個の周波数間隔を選択するステップと、
K+1個の周波数間隔のM個の排他的グループを決定するステップであって、各グループが、M個の周波数間隔に対応する周波数間隔のうちのそれぞれの周波数間隔と、M個の周波数間隔のすぐ周囲にあるK個の周波数間隔とからなるステップと、
M個の周波数間隔の周波数位置を送信するステップと、
K+1個の周波数間隔のM個のグループについて同じチャネル品質インジケータを送信するステップとを含む。
【００１２】
本発明の別の態様によれば、ワイヤレス通信システムにおいてチャネルについてのチャネル品質データを送信する方法が提供され、この方法は、
複数の周波数間隔のうちのそれぞれの周波数間隔のチャネル品質情報にそれぞれが基づく、複数のメトリックを決定するステップと、
前記メトリックに基づいて複数M個の周波数間隔を選択するステップと、
M個の周波数間隔の周波数位置を送信するステップと、
M個の周波数間隔と、M個の周波数間隔に隣接する2M個の周波数間隔とからなる3M個の周波数間隔について、同じチャネル品質インジケータを送信するステップとを含む。
【００１３】
本発明の別の態様によれば、ワイヤレス通信システムにおいてチャネルについてのチャネル品質データを送信する方法が提供され、この方法は、
チャネル内のそれぞれの周波数位置における複数の周波数間隔のうちのそれぞれの周波数間隔のチャネル品質情報にそれぞれが基づく、複数のメトリックを決定するステップと、
前記メトリックに基づいて複数M個の周波数間隔を選択するステップと、
前記M個の周波数間隔のうちの1つの周波数間隔から指定数の周波数位置内にそれぞれがあるK個の周波数間隔のセットを決定するステップと、
M個の周波数間隔の周波数位置を送信するステップと、
M個の周波数間隔と、K個の周波数間隔のセットの周波数間隔とからなるM+K個の周波数間隔について、同じチャネル品質インジケータを送信するステップとを含む。
【００１４】
本発明の別の態様によれば、ワイヤレス通信システムにおいてチャネルについてのチャネル品質データを送信する方法が提供され、この方法は、
複数の周波数間隔のうちのそれぞれの周波数間隔にそれぞれが対応する、複数のメトリックを決定するステップと、
各間隔についての決定されたメトリックに応じて複数M個の周波数間隔を選択するステップと、
M個の周波数間隔の周波数位置を送信するステップと、
M個の周波数間隔のそれぞれについて同じチャネル品質インジケータを送信するステップとを含む。
【００１５】
本発明の別の態様によれば、ワイヤレス通信システムにおいてチャネルについてのチャネル品質データを送信する方法が提供され、この方法は、
チャネル内のそれぞれの周波数位置における複数の周波数間隔のそれぞれについて、それぞれのチャネル品質メトリックを決定するステップと、
決定されたチャネル品質メトリックに応じて、K個の隣接する周波数間隔をそれぞれが含む複数M個の好ましい排他的グループを形成するステップと、
M個の好ましいグループの周波数位置を送信するステップと、
M個のグループの周波数間隔について同じチャネル品質インジケータを送信するステップとを含む。
【００１６】
実施形態では、この方法はさらに、送信されたチャネル品質情報が、M個の好ましいチャネル品質インジケータの周波数間隔に隣接する周波数間隔をスケジューリングするのに使用されることになるかどうかを示すインジケータを送信するステップをさらに含むことができる。
【００１７】
実施形態では、Kは、決定されたメトリックに基づくことができる。Kは、周波数間隔間の相関の所定の推定に基づくことができる。Kは、特定のチャネル条件下での周波数間隔間の相関の平均測定値に基づく基準に基づくことができる。
【００１８】
実施形態では、この方法はさらに、周波数間隔間の相関をチャネル条件に基づいて推定するステップと、前記相関に応じてKを選択するステップとを含むことができる。
【００１９】
本発明の別の態様によれば、ワイヤレス通信システムにおいて送信をスケジュールする方法が提供され、この方法は、
選択された周波数間隔についてのチャネル品質インジケータ情報を受信するステップと、
選択された周波数間隔についてのチャネル品質インジケータ情報に応じて少なくとも1つの他の周波数間隔における送信をスケジュールするステップとを含む。
【００２０】
実施形態では、選択された周波数間隔は、選択基準に基づくM個の好ましい間隔である。選択基準は、最も高いチャネル品質インジケータ値を有するM個の周波数間隔の選択を含むことができる。
【００２１】
実施形態では、少なくとも1つの他の周波数間隔は、選択された周波数間隔に隣接する間隔である。
【００２２】
実施形態では、この方法はさらに、システム帯域幅または動作帯域幅にわたる平均されたチャネル品質インジケータ情報を送信するステップを含むことができる。
【００２３】
実施形態では、この方法はさらに、前記同じチャネル品質インジケータ情報を、システム帯域幅または動作帯域幅にわたる前記平均されたチャネル品質インジケータ情報に対して差分的に符号化するステップと、
前記同じチャネル品質インジケータ情報を、差分的に符号化された形で送信するステップとを含むことができる。
【００２４】
本発明の別の態様によれば、受信機からフィードバックされたチャネル品質データを使用してワイヤレス通信システムにおいて送信する方法が提供され、この方法は、
それぞれの周波数位置における複数の周波数間隔を含むワイヤレスチャネルを介して受信機に信号を送信するステップと、
周波数間隔の好ましい排他的グループの位置を受信するステップであって、各グループの周波数間隔が相互から所定数の周波数位置内にあり、位置が、前記チャネルを介して受信された前記信号に基づいて受信機から返送されるステップと、
前記グループについて同じチャネル品質インジケータを受信するステップであって、チャネル品質インジケータが、前記チャネルを介して受信された前記信号に基づいて受信機から返送されるステップと、
前記同じチャネル品質インジケータを利用して、前記グループ内の複数の周波数間隔上での後続の送信をスケジュールするステップとを含む。
【００２５】
本発明の別の態様によれば、ワイヤレス通信システムにおいて使用するための送信機が提供され、この送信機は、
それぞれの周波数位置における複数の周波数間隔を含むワイヤレスチャネルを介して受信機に信号を送信するための送信手段と、
周波数間隔の好ましい排他的グループの位置を受信するための受信手段であって、各グループの周波数間隔が相互から所定数の周波数位置内にあり、前記グループについて同じチャネル品質インジケータを受信するための受信手段であって、位置およびチャネル品質インジケータが前記送信に基づいて受信機から返送される受信手段と、
前記同じチャネル品質インジケータを利用して、前記グループの周波数間隔上での後続の送信をスケジュールするように構成されたスケジューリング手段とを備える。
【００２６】
一態様では、本発明は、ワイヤレス通信システムにおいてチャネルについてのチャネル品質データを送信する方法を提供し、この方法は、
チャネル内のそれぞれの周波数位置における複数の周波数間隔のうちのそれぞれの周波数間隔にそれぞれが対応する、複数のチャネル品質インジケータを決定するステップであって、チャネルに対して総数の周波数間隔および対応するチャネル品質インジケータがあるステップと、
複数M個の好ましいチャネル品質インジケータを選択するステップと、
好ましいM個のチャネル品質インジケータの周波数位置を送信するステップと、
平均されたチャネル品質インジケータ情報を送信するステップであって、平均された情報が、好ましいM個のチャネル品質インジケータと、前記M個の好ましいチャネル品質インジケータのうちの1つの周波数間隔から指定数の周波数位置内にある周波数間隔にそれぞれ対応する追加のチャネル品質インジケータとに基づくが、総数よりも少ないチャネル品質インジケータに基づくステップとを含む。
【００２７】
平均されたチャネル品質インジケータ情報と、最良のM個の間隔の周波数位置とを送信することを含めて、最良のM個の周波数間隔に関する情報を、最良のM個の周波数付近の周波数間隔に関する追加情報と共に送信することにより、個々の周波数間隔についての実際のチャネル品質インジケータを送信する必要なしに受信情報から推定チャネル品質インジケータを再び再構築することができる。これが機能するのは、付近の周波数間隔がその近接する最良の周波数間隔と相関すると仮定でき、したがってほぼ同じチャネル品質インジケータを有すると推定できるからである。このように、本発明は有利にも、周波数領域におけるチャネル品質インジケータ相関を利用し、したがって、追加の個別のチャネル品質インジケータおよびそれらの周波数位置を送信する必要を低減させることによって非常に低いシグナリングオーバヘッドでチャネル品質情報のフィードバックを可能にし、それにより最小限のコストで追加のスケジューリング機会を提供する。
【００２８】
この手法は、M個の選択された周波数間隔またはM個の最良の周波数間隔が、最も高いCQI値に対応する意味では最良ではないが特定の選択基準に基づいて好ましい周波数間隔である場合に拡張することができる。したがって、以下の記述で「最良」に言及する場合、これは好ましい一実施形態として理解することができ、より一般的な要件はM個の好ましい周波数間隔の選択である。
【００２９】
M個の選択された周波数間隔付近の指定数の周波数間隔は、システム設計に基づいて所定とすることができる。別法として、M個の選択された周波数間隔付近の指定数の周波数間隔は、チャネル条件に基づいて計算された相関の推定値に応じて、ユーザ機器によってまたは基地局/ネットワークによって動的に選択されてもよい。これは明らかに、測定または報告されたCQI値に基づく選択を含む。
【００３０】
オーバヘッドとシステム性能との間の最適化されたバランスを提供する点から見て、上記の方式で送信されるチャネル品質情報の特定の組合せが、特に効果的であることがわかっている。
【００３１】
一態様では、本発明は、ワイヤレス通信システムにおいてチャネルについてのチャネル品質データを送信する方法を提供し、この方法は、
チャネル内のそれぞれの周波数位置における複数の周波数間隔のうちのそれぞれの周波数間隔にそれぞれが対応する、複数のチャネル品質インジケータを決定するステップと、
複数M個の好ましいチャネル品質インジケータを選択するステップと、
M個の好ましいチャネル品質インジケータの周波数間隔に隣接する2M個の周波数間隔のそれぞれにつき、この隣接する周波数間隔のチャネル品質インジケータをそれぞれの好ましい周波数間隔に関係付ける傾斜データを生成するステップと、
M個の好ましいチャネル品質インジケータの周波数位置を送信するステップと、
M個の好ましいチャネル品質インジケータの平均を送信するステップと、
2M個の隣接する周波数間隔についての傾斜データの平均を送信するステップとを含む。
【００３２】
一態様では、本発明は、ワイヤレス通信システムにおいてチャネルについてのチャネル品質データを送信する方法を提供し、この方法は、
チャネル内のそれぞれの周波数位置における複数の周波数間隔のうちのそれぞれの周波数間隔にそれぞれが対応する、複数のチャネル品質インジケータを決定するステップと、
複数M個の好ましいチャネル品質インジケータを選択するステップと、
M個の好ましいチャネル品質インジケータの周波数位置を送信するステップと、
M個の好ましいチャネル品質インジケータの平均を送信するステップと、
M個の好ましいチャネル品質インジケータに隣接する2M個のチャネル品質インジケータの平均を送信するステップとを含む。
【００３３】
一態様では、本発明は、ワイヤレス通信システムにおいてチャネルについてのチャネル品質データを送信する方法を提供し、この方法は、
複数の周波数間隔のうちのそれぞれの周波数間隔にそれぞれが対応する、複数のチャネル品質インジケータを決定するステップと、
複数M個の好ましいチャネル品質インジケータを選択するステップと、
M個の好ましいチャネル品質インジケータの周波数位置を送信するステップと、
M個の好ましいチャネル品質インジケータと、M個の好ましいチャネル品質インジケータの周波数間隔に隣接する周波数間隔の2M個のチャネル品質インジケータとからなる3M個のチャネル品質インジケータの平均を送信するステップとを含む。
【００３４】
一態様では、本発明は、ワイヤレス通信システムにおいてチャネルについてのチャネル品質データを送信する方法を提供し、この方法は、
チャネル内のそれぞれの周波数位置における複数の周波数間隔のうちのそれぞれの周波数間隔にそれぞれが対応する、複数のチャネル品質インジケータを決定するステップと、
複数M個の好ましいチャネル品質インジケータを選択するステップと、
K+1個の周波数間隔のM個の排他的グループを決定するステップであって、各グループが、M個の好ましいチャネル品質インジケータに対応する周波数間隔のうちのそれぞれの周波数間隔と、M個の好ましいチャネル品質インジケータの周波数間隔のすぐ周囲にあるK個の周波数間隔とからなるステップと、
M個の好ましいチャネル品質インジケータの周波数位置を送信するステップと、
M個の平均を送信するステップであって、各平均が、前記M個のグループのうちのそれぞれのグループのK+1個の周波数間隔のチャネル品質インジケータの平均であるステップとを含む。
【００３５】
一態様では、本発明は、ワイヤレス通信システムにおいてチャネルについてのチャネル品質データを送信する方法を提供し、この方法は、
チャネル内のそれぞれの周波数位置における複数の周波数間隔のうちのそれぞれの周波数間隔にそれぞれが対応する、複数のチャネル品質インジケータを決定するステップと、
複数M個の好ましいチャネル品質インジケータを選択するステップと、
M個の好ましいチャネル品質インジケータに対応する周波数間隔のうち、最高および最低の周波数位置を有する2つの周波数間隔を決定するステップと、
前記最高および最低の周波数位置を送信するステップと、
最高および最低の周波数位置の周波数間隔を含めた、最高および最低の周波数位置の周波数間隔の間にある全ての周波数間隔のチャネル品質インジケータの平均を送信するステップとを含む。
【００３６】
一態様では、本発明は、ワイヤレス通信システムにおいてチャネルについてのチャネル品質データを送信する方法を提供し、この方法は、
チャネル内のそれぞれの周波数位置における複数の周波数間隔のうちのそれぞれの周波数間隔にそれぞれが対応する、複数のチャネル品質インジケータを決定するステップと、
複数M個の好ましいチャネル品質インジケータを選択するステップと、
M個の好ましいチャネル品質インジケータに対応する周波数間隔のうち、最高および最低の周波数位置を有する2つの周波数間隔を決定するステップと、
M個の好ましいチャネル品質インジケータの周波数位置を送信するステップと、
最高および最低の周波数位置の周波数間隔を含めた、最高および最低の周波数位置の周波数間隔の間にある全ての周波数間隔のチャネル品質インジケータの平均を送信するステップとを含む。
【００３７】
一態様では、本発明は、ワイヤレス通信システムにおいてチャネルについてのチャネル品質データを送信する方法を提供し、この方法は、
チャネル内のそれぞれの周波数位置における複数の周波数間隔のうちのそれぞれの周波数間隔にそれぞれが対応する、複数のチャネル品質インジケータを決定するステップと、
複数M個の好ましいチャネル品質インジケータを選択するステップと、
M個の好ましいチャネル品質インジケータに対応する周波数間隔のうち、最高および最低の周波数位置を有する2つの周波数間隔を決定するステップと、
M個の好ましいチャネル品質インジケータの周波数位置を送信するステップと、
M個の好ましいチャネル品質インジケータの平均を送信するステップと、
M個の好ましいチャネル品質インジケータを除いた、最高および最低の周波数位置の周波数間隔の間における全ての周波数間隔のチャネル品質インジケータの平均を送信するステップとを含む。
【００３８】
一態様では、本発明は、ワイヤレス通信システムにおいてチャネルについてのチャネル品質データを送信する方法を提供し、この方法は、
チャネル内のそれぞれの周波数位置における複数の周波数間隔のうちのそれぞれの周波数間隔にそれぞれが対応する、複数のチャネル品質インジケータを決定するステップと、
複数M個の好ましいチャネル品質インジケータを選択するステップと、
前記M個の好ましいチャネル品質インジケータのうちの1つの周波数間隔から指定数の周波数位置内にそれぞれがあるK個の周波数間隔のセットを決定するステップと、
M個の好ましいチャネル品質インジケータの周波数位置を送信するステップと、
M個の好ましいチャネル品質インジケータと、K個の周波数間隔のセットのチャネル品質インジケータとからなるM+K個のチャネル品質インジケータの平均を送信するステップとを含む。
【００３９】
一態様では、本発明は、ワイヤレス通信システムにおいてチャネルについてのチャネル品質データを送信する方法を提供し、この方法は、
チャネル内のそれぞれの周波数位置における複数の周波数間隔のうちのそれぞれの周波数間隔にそれぞれが対応する、複数のチャネル品質インジケータを決定するステップと、
複数M個の好ましいチャネル品質インジケータを選択するステップと、
前記M個の好ましいチャネル品質インジケータのうちの1つの周波数間隔から指定数の周波数位置内にそれぞれがあるK個の周波数間隔のセットを決定するステップと、
M個の好ましいチャネル品質インジケータの周波数位置を送信するステップと、
M個の好ましいチャネル品質インジケータの平均を送信するステップと、
K個の周波数間隔のセットのチャネル品質インジケータの平均を送信するステップとを含む。
【００４０】
一態様では、本発明は、ワイヤレス通信システムにおいてチャネルについてのチャネル品質データを送信する方法を提供し、この方法は、
複数の周波数間隔のうちのそれぞれの周波数間隔にそれぞれが対応する、複数のチャネル品質インジケータを決定するステップと、
複数M個の好ましいチャネル品質インジケータを選択するステップと、
M個の好ましいチャネル品質インジケータの周波数位置を送信するステップと、
M個の好ましいチャネル品質インジケータと、M個の好ましいチャネル品質インジケータの周波数間隔に隣接する周波数間隔の2M個のチャネル品質インジケータとからなる3M個のチャネル品質インジケータの平均を送信するステップと、
前記3M個のチャネル品質インジケータの半分よりも多くが前記平均よりも高いかどうかを示すビットを送信するステップとを含む。
【００４１】
一態様では、本発明は、ワイヤレス通信システムにおいてチャネルについてのチャネル品質データを送信する方法を提供し、この方法は、
複数の周波数間隔のうちのそれぞれの周波数間隔にそれぞれが対応する、複数のチャネル品質インジケータを決定するステップと、
複数M個の好ましいチャネル品質インジケータを選択するステップと、
M個の好ましいチャネル品質インジケータの周波数位置を送信するステップと、
M個の好ましいチャネル品質インジケータの平均を送信するステップと、
M個の好ましいチャネル品質インジケータの半分よりも多くが前記平均よりも高いかどうかを示すビットを送信するステップとを含む。
【００４２】
一態様では、本発明は、ワイヤレス通信システムにおいてチャネルについてのチャネル品質データを送信する方法を提供し、この方法は、
複数の周波数間隔のうちのそれぞれの周波数間隔にそれぞれが対応する、複数のチャネル品質インジケータを決定するステップと、
複数M個の好ましいチャネル品質インジケータを選択するステップと、
M個の好ましいチャネル品質インジケータの周波数位置を送信するステップと、
M個の好ましいチャネル品質インジケータと、M個の好ましいチャネル品質インジケータの周波数間隔に隣接する周波数間隔の2M個のチャネル品質インジケータとからなる3M個のチャネル品質インジケータの平均を送信するステップと、
M個の好ましいチャネル品質インジケータの平均が前記2M個のチャネル品質インジケータの平均から指定量よりも多く異なるかどうかを示すビットを送信するステップとを含む。
【００４３】
本発明の別の態様によれば、M個の周波数位置および平均化された情報を受信して、関連するチャネル品質インジケータを相応に再構築する方法が提供される。
【００４４】
本発明のさらに他の態様によれば、位置および平均化された情報を送信するための装置と、位置および平均化された情報を受信して、関連するチャネル品質インジケータを再構築するための装置とが提供される。
【００４５】
本発明の別の態様によれば、コンピュータプログラム製品が提供され、プログラムは、プロセッサによって実行されたときに、送信のためにM個の周波数位置および平均化された情報を出力するステップを実施するコードを含む。本発明の別の態様によれば、コンピュータプログラム製品が提供され、プログラムは、プロセッサによって実行されたときに、M個の周波数位置および平均化された情報を入力するステップと、関連するチャネル品質インジケータを相応に再構築するステップとを実施するコードを含む。
【００４６】
以下に述べる本発明の実施形態は、CQI報告のための方式を提供し、これらの方式は、必要とされるシグナリングオーバヘッドを低減させ、システムの頑強性および性能を増大させることを目指す。送信に利用可能な無線周波数帯域のM個の最良周波数間隔のCQIを報告することに加えて、提案する方式は、パケットスケジューラがM個の最良周波数間隔に隣接する周波数間隔のCQIを再構築するのに使用することができる情報を報告する。チャネル選択性に応じて、隣接する周波数間隔は、相関するチャネル条件を受ける。この情報は、前述の従来技術の方式では考慮されないが、ここでは利用される。この結果、スケジューラには、周波数領域中のユーザの日和見的スケジューリングにおいて、より多くの自由がもたらされる。
【００４７】
本発明のよりよい理解のために、また本発明をどのように実施できるかを示すために、次に例として添付の図面を参照する。
【図面の簡単な説明】
【００４８】
【図１】ワイヤレス通信システムにおける受信機および送信機の概略ブロック図である。
【図２】報告されるCQIおよび周波数間隔を示す概略図である。
【図３】本発明の一実施形態による受信機の概略ブロック図である。
【図４】報告されるCQIおよび傾斜データを、対応する周波数間隔と共に示す概略図である。
【図５】本発明の一実施形態による送信機を示す概略ブロック図である。
【発明を実施するための形態】
【００４９】
以下に述べる本発明の実施形態は、隣接する周波数間隔にわたるチャネル品質インジケータを再構築するために、特定の周波数間隔の周囲のチャネルの局所的情報を使用することに依拠する。
【００５０】
図3は、本発明の実施形態によりチャネル品質情報を送信するための受信機のコンポーネントの概略ブロック図である。図3は概略に過ぎず、機能ブロックの形で描かれている。実際には、これらのコンポーネントは、適切にプログラムされたプロセッサによって実現されることになる。受信機2は、CQI計算ブロック32、CQI選択ブロック34、および平均計算ブロック38を備える。以下に述べる第1の実施形態では、受信機2は、傾斜計算ブロック36も備える。
【００５１】
CQI計算ブロック32は、送信に利用可能な無線帯域幅の全ての周波数間隔について、入来チャネル関連パラメータ30から(例えば、各周波数間隔上の信号対干渉+雑音電力比の測定値から)CQIを計算する。CQI選択ブロック34は、特定の選択基準に従って、好ましいCQIとしてCQIの1つまたは複数の値を選択する。この基準は、最良CQIを選択することができる。通常、好ましいものとして複数のCQIが決定され、M個のCQIがあるときこれらをM個の好ましいCQIとして言及する。M個の好ましいCQIのそれぞれに関連する周波数インデックスiもまた決定される。平均計算ブロック38は、選択されたM個の好ましい間隔に基づいて、かつ、M個の好ましい間隔のうちの1つから指定数の周波数位置内にそれぞれがある(必ずしも全てがM個の好ましい間隔のうちの同じ1つから指定数の周波数位置内にあるとは限らない)追加の近接する間隔に基づいて、1つまたは複数の平均CQI値を計算する。例えば、近接する間隔は、M個の好ましい間隔の両側(左と右)における2つの隣接する周波数間隔のみとすることができ、あるいは、M個の好ましい間隔の両側における一定数の間隔でそれぞれ構成されたグループとすることができる(グループは異なるサイズであってもよいが、それぞれ同じサイズであることが好ましい)。平均化された情報は、これらのM個の好ましい間隔および追加の近接する間隔のみに基づき、したがって、当該チャネルの総周波数間隔よりも少ない周波数間隔に基づく。受信機2は、M個の好ましい間隔の周波数インデックスと1つまたは複数の平均とを含めたチャネル品質情報を、スケジューラ14によって使用されるように送信機4に報告(すなわち送信)する。
【００５２】
図5は、送信機に位置する機能ブロックの概略図であり、CQI再構築ブロック40が、選択された周波数位置の平均値と共にM個の好ましい周波数間隔のインデックスを受け取る図である。受け取った情報の性質に応じて、CQI再構築ブロック40は、M個の好ましい周波数間隔、および、報告された最良の間隔に近接する必要とされる追加の周波数間隔のそれぞれについて、CQIを再構築する。再構築は、いくつかの周波数間隔が同じCQIを有すると見なせるようにこれらの周波数間隔が適切に相関すると推定することに依拠する。このような推定の例を、以下に論じる実施形態に関連して概説する。再構築されたCQIは周波数間隔インデックスと共に、パケットスケジューラ14に供給される。
【００５３】
3GPP LTEなどの所与のシステムでは、OFDMA副搬送波(または一般に周波数間隔)のグループ間の相関が主に伝搬チャネルプロファイルに依存することになると識別することが可能である。
【００５４】
設計者は、平均化された情報に含める追加の近接する間隔を採る場所として、M個の好ましい周波数間隔のそれぞれの任意の側における、ある固定範囲の周波数間隔を事前に選択することができる。このことは、M個の好ましい周波数間隔のそれぞれの任意の側における一定数の周波数間隔のCQIが、平均から再び再構築されるよう適切に相関すると仮定することになる。別法として例えば、UEは、平均化された報告に含める近接する間隔のCQIの数の「臨時の」選択を行うために、各周波数間隔の信号対干渉比(SIR)を推定し、したがって間隔間のCQIの相関を推定することもできる。例えば、隣接する周波数間隔の場合、これにより報告は、基地局/ネットワークには通常知られていないダウンリンクチャネルの種々の実現に適応できることになる。
【００５５】
次に、本発明の第1の実施形態について述べる。隣接する周波数間隔上のCQIの再構築に使用できる情報のタイプの1つは、周波数にわたるCQIの傾斜、または傾斜の任意の変形であり、これを様々な実施形態の記述で詳細に例示する。隣接する周波数間隔のCQIの傾斜を報告することは、隣接する周波数間隔の完全なCQI値を送信するのと比較して、削減された情報量を必要とする。さらに、傾斜データは隣接する周波数間隔に関係するので、隣接する周波数間隔のインデックスを報告する必要はなく、この結果、シグナリングオーバヘッドの点から見て追加の節約がもたらされる。
【００５６】
傾斜計算ブロック36は、M個の好ましいCQIを受け取り、M個の好ましいCQIそれぞれの両側における2つの隣接する周波数間隔について、傾斜を計算する。図4にこれをより明確に示す。図4には、2つの好ましいCQIであるCQI(i)およびCQI(i+k)を示すが、実際には、いくつかの(Mに等しい)CQIがあってもよい。図4にはまた、選択された好ましい周波数間隔のそれぞれの両側における傾斜Δも示す。各傾斜Δは、当該の隣接する周波数間隔のCQIを、その周波数間隔が隣接する選択された好ましい周波数間隔のCQIに関係付ける。この傾斜は、当該の隣接する周波数間隔のCQIと、その周波数間隔が隣接する選択された好ましい周波数間隔のCQIとの間の勾配の測定値であることが好ましい。この勾配は、選択された好ましい周波数間隔のCQIと、それに隣接する周波数間隔のCQIとの差に比例する。
【００５７】
したがって受信機2は、2M個の余分の隣接する周波数間隔について、周波数間隔のCQI、ならびにそれらのインデックスi-1、i+1、およびi+k-1、i+k+1を報告する必要はない。そうではなく、第1の実施形態では、受信機2は、好ましいM個の周波数間隔のそれぞれの左右両方の隣接する周波数間隔についての傾斜データを決定し、M個の好ましい周波数間隔についての周波数位置(インデックス)と、2M個の傾斜の平均と、M個の好ましい周波数間隔のM個のCQIの別個の平均とを決定および報告するだけでよい。
【００５８】
この場合、送信機4におけるスケジューラ14(図1)には、3M個の周波数間隔がスケジューリングに利用可能である。再構築ブロック40は、M個の好ましい周波数間隔が全て、受信機2によって報告された同じ平均CQIを有すると推定することによって、かつ、2M個の隣接する間隔が全て、平均傾斜およびM個の好ましい間隔の平均CQIから再構築される、より小さい同じCQIを有すると推定することによって、3M個の間隔のCQIを再構築する。
【００５９】
選択ブロック34は、M個の好ましい間隔のいずれかの間に1つの間隔だけしかないような、すなわち、ある好ましい間隔の右の隣接間隔が別の好ましい間隔の左の隣接間隔と同じであるようなM個の好ましい間隔を選択することを、回避するのが好ましいことに留意されたい。(これはまた、M個の好ましい間隔の隣接するまたは周囲の間隔が使用される、他の実施形態でも当てはまる場合がある)。
【００６０】
第2の実施形態では、傾斜データは使用されない。その代わり、受信機2は、M個の好ましい周波数間隔についての周波数位置、M個の好ましい周波数間隔のM個のCQIの平均、および、2M個の隣接する周波数間隔の2M個のCQIの別個の平均のみを報告する。したがって送信機4のスケジューラ14は、この場合もやはり、3M個の周波数間隔がスケジューリングに利用可能である。しかし今回は、再構築ブロック40は、M個の好ましい周波数間隔が全て、受信機2によって報告された平均である同じCQIを有すると推定することによって、かつ、2M個の隣接する間隔が全て、やはり受信機2によって別個の平均として報告された、より小さい同じCQIを有すると推定することによって、3M個の間隔のCQIを再構築する。
【００６１】
第2の実施形態では、平均CQI値は任意選択で、差分的に符号化されてもよい。すなわち、一方の周波数間隔グループの平均CQIを、他方の周波数間隔グループの平均CQIに対する差として送信してもよい。
【００６２】
第3の実施形態では、受信機2は、M個の好ましい周波数間隔についての周波数位置、および、M個の好ましい周波数間隔と2M個の隣接する周波数間隔との3M個のCQIの結合平均のみを報告する。次いで再構築ブロック40は、M個の好ましい周波数間隔およびそれらに隣接する2M個の間隔が全て、受信機2によって報告された平均である同じCQIを有すると推定することにより、3M個の間隔のCQIを再構築する。
【００６３】
第4の実施形態では、受信機は、K+1個の周波数間隔の、M個の排他的グループを決定し、各グループは、M個の好ましい周波数間隔のうちの1つと、そのすぐ周囲(指定数の周波数間隔内)にあるK個の周波数間隔とを含む。受信機は、M個の平均値と共に、M個の好ましい周波数間隔についての周波数位置のみを報告し、各平均値は、K+1個の周波数間隔のグループそれぞれの、CQIの平均である。この場合スケジューラ14は、M(K+1)個の間隔がスケジューリングに利用可能である。再構築ブロック40は、K+1の所与のグループによる各間隔が、受信機2によって報告された平均である同じCQIを有すると推定する。
【００６４】
第4の実施形態では、平均CQI値は任意選択で、差分的に符号化されてもよい。すなわち、1つまたは複数のグループの平均CQIを、別のグループの平均CQIに対する差として、例えば連続的なグループ間の勾配として送信してもよい(この差は、第1の実施形態の傾斜データと類似するが、個々の周波数間隔ではなく周波数間隔のグループに関する差である)。
【００６５】
第5の実施形態では、受信機2は、M個の好ましい周波数間隔の一番左と一番右の周波数位置、および、M個の好ましい間隔の一番左から一番右までの全ての周波数間隔の平均CQIのみを報告する。次いで再構築ブロック40は、この範囲内の各間隔が、受信機2によって報告された平均である同じCQIを有すると推定する。これは、M個の好ましい間隔が相互に比較的近い場合に好ましく機能する。
【００６６】
第6の実施形態では、受信機2は、M個の好ましい周波数間隔の周波数位置、および、M個の好ましい間隔の一番左の周波数間隔から一番右の周波数間隔までの全ての周波数間隔の平均CQIのみを報告する。次いで再構築ブロック40は、この範囲内の各間隔が、受信機2によって報告された平均である同じCQIを有すると推定する。この場合もやはり、これは、M個の好ましい間隔が相互に比較的近い場合に好ましく機能する。
【００６７】
第7の実施形態では、受信機2は、M個の好ましい周波数間隔の周波数位置、M個の好ましい周波数間隔の平均CQI、および、M個の好ましい周波数間隔を除いた、M個の好ましい間隔の一番左の周波数間隔から一番右の周波数間隔までの全ての周波数間隔で構成される周波数間隔のセットの平均CQIのみを報告する。次いで再構築ブロック40は、好ましいM個の周波数間隔が全て、受信機2によって報告された平均である同じCQIを有すると推定することによって、かつ、他の間隔のセットが全て、やはり受信機2によって別個の平均として報告された、より小さい同じCQIを有すると推定することによって、CQIを再構築する。
【００６８】
第7の実施形態では、M個の好ましい間隔の一番左の周波数間隔から一番右の周波数間隔までの全ての周波数間隔で構成される上記周波数間隔セットは、任意選択で、M個の好ましい周波数間隔を含んでもよい。実際、この場合には、M個の好ましい周波数間隔を除いた周波数間隔セットの平均CQIは、M個の好ましい周波数間隔の平均CQIを知ることから得ることができる。
【００６９】
第7の実施形態では、平均CQI値は任意選択で、差分的に符号化されてもよい。すなわち、一方の周波数間隔グループの平均CQIを、他方の周波数間隔グループの平均CQIに対する差として送信してもよい。
【００７０】
第8の実施形態では、受信機2は、M個の好ましい周波数間隔の付近の、M個の好ましい周波数間隔の周囲のK個の周波数間隔のサイズのセットを決定する(各周波数間隔は、M個の好ましい周波数間隔のうちの1つから指定数の周波数位置内にある)。受信機2は、M個の好ましい周波数間隔の周波数位置、および、M+K個の周波数間隔全ての結合平均値のみを報告する。この場合スケジューラ14は、M+K個の間隔がスケジューリングに利用可能である。再構築ブロック40は、M+K個の間隔全てが、受信機2によって送信された平均である同じCQIを有すると推定することによって、CQIを再構築する。
【００７１】
第9の実施形態では、受信機2は、M個の好ましい周波数間隔の付近の、M個の好ましい周波数間隔の周囲のK個の周波数間隔のサイズのセットを決定する(各周波数間隔は、M個の好ましい周波数間隔のうちの1つから指定数の周波数位置内にある)。受信機2は、M個の好ましい周波数間隔の周波数位置、M個の好ましい周波数間隔の平均CQI、および、K個の周波数間隔の別個の平均CQIのみを報告する。この場合スケジューラ14は、M+K個の間隔がスケジューリングに利用可能である。次いで再構築ブロック40は、M個の好ましい周波数間隔が全て、受信機2によって報告された平均である同じCQIを有すると推定することによって、かつ、K個の他の間隔が全て、やはり受信機2によって別個の平均として報告された、より小さい同じCQIを有すると推定することによって、CQIを再構築する。
【００７２】
第9の実施形態では、平均CQI値は、任意選択で、差分的に符号化されてもよい。すなわち、1つまたは複数のグループの平均CQIを、別のグループの平均CQIに対する差として、例えば連続的なグループ間の勾配として送信してもよい(この差は、第1の実施形態の傾斜データと類似するが、個々の周波数間隔ではなく周波数間隔のグループに関する差である)。
【００７３】
第10の実施形態では、受信機2は、M個の好ましい周波数間隔の周波数位置、M個の好ましい周波数間隔とそれらに隣接する2M個の周波数間隔との3M個のCQIの結合平均、および余分の1ビットbのみを報告する。余分のビットbは、3M個の周波数間隔の半分よりも多くが、3M個の周波数間隔の平均CQIよりも高いCQIを受けるかどうかを示し、3M個の周波数間隔の半分よりも多くが平均よりも高いCQIを受ける場合は、bは正であり、そうでない場合は負である。この場合スケジューラ14は、3M個の間隔がスケジューリングに利用可能である。再構築ブロック40は、CQI = CQI_average + bΔとしてCQIを再構築し、ここでΔは補正係数である。係数Δは、例えば変調符号化方式(MCS)ステップに基づくことができる。
【００７４】
変調符号化方式(MCS)は、UEによってチャネル品質インジケータ(CQI)を介して報告されるチャネル品質に応じて、基地局が変調および符号レートを選択する機能である。符号レートは、エンコーダレートを変更することによって、または固定レートの符号を使用して符号化ブロック上のパンクチャリングの量を変動させることによって、選択することができる。通常、チャネル品質(SIR)が高いほど、そのUEに送信できるビット数は多く、したがって、報告されたCQIの値が高い場合、基地局は高次の変調およびより高い符号レートを選択する。この選択は普通、量子化されたCQI(例えば1dBのSIRステップに対応する)のセットを対応するMCSのセットにマッピングするテーブルに基づいて行われ、各MCSは、1つの変調方式および1つのパンクチャリングレート(または、パンクチャリングレートを間接的に決定する、固定レート符号化前のブロックサイズ)によって構成される。したがって、Δは例えば、CQIがCQIテーブル(各CQIを1つのMCSにマッピングするテーブル)中で量子化される際のステップに基づくことができる。
【００７５】
第11の実施形態では、受信機2は、M個の好ましい周波数間隔の周波数位置、M個の好ましい周波数間隔のM個のCQIの平均、および1つの余分のビットbのみを報告する。余分のビットbは、M個の周波数間隔の半分よりも多くが、M個の好ましい周波数間隔の平均CQIよりも高いCQIを受けるかどうかを示し、半分よりも多くが平均よりも高いCQIを受ける場合は、bは正であり、そうでない場合は負である。この場合スケジューラ14は、M個の間隔がスケジューリングに利用可能である。再構築ブロック40は、CQI = CQI_average + bΔとしてCQIを再構築し、ここでΔは補正係数であり、この場合もやはり係数Δは、例えば変調符号化方式(MCS)ステップとすることができる。
【００７６】
第12の実施形態では、受信機2は、M個の好ましい周波数間隔についての周波数位置、M個の好ましい周波数間隔とそれらに隣接する2M個の周波数間隔との3M個のCQIの結合平均、および1つの余分のビットbを報告する。余分のビットbは、隣接する周波数間隔の平均CQI値が、M個の好ましい周波数間隔の平均CQIと非常に異なる(すなわち指定量だけ異なる)かどうかを示す。この場合スケジューラ14は、3M個の間隔がスケジューリングに利用可能である。したがって、ビットbに基づいて、再構築ブロック40は、報告された平均化CQI情報を隣接する周波数間隔に対して使用するか否かを決定することができる。
【００７７】
第13の実施形態では、複数のチャネル品質インジケータが決定され、各チャネル品質インジケータは、複数の周波数間隔のうちのそれぞれの周波数間隔に対応する。次いで、適切な基準を使用して、複数M個の好ましいチャネル品質インジケータが選択される。M個の好ましいチャネル品質インジケータの平均が計算される。加えて、M個の好ましいチャネル品質インジケータと、M個の好ましいチャネル品質インジケータの周波数間隔に隣接する周波数間隔のチャネル品質インジケータとの平均が計算される。M個の好ましいチャネル品質インジケータに隣接する周波数間隔は、1つまたは複数の近隣の間隔、すなわち、好ましいチャネル品質インジケータの間隔の任意の側における次の間隔であってよい。M個の好ましいチャネル品質インジケータに隣接する周波数間隔は、好ましいチャネル品質インジケータの間隔の付近にある1つまたは複数の間隔であってよい。
【００７８】
報告の際、M個の好ましいチャネル品質インジケータに対応する周波数間隔の周波数位置が送信される。加えて、(i)M個の好ましいチャネル品質インジケータの計算済み平均である第1の平均と、(ii)M個の好ましいチャネル品質インジケータ、およびM個の好ましいチャネル品質インジケータの周波数間隔に隣接する周波数間隔のチャネル品質インジケータの、計算済み平均である第2の平均とのいずれかが送信される。さらに、どちらの平均が送信されるかについての指示が送信される。この指示はビットとすることができる。
【００７９】
どちらの平均が送信されるかの選択は、いくつかの方法で決定することができる。M個の好ましいチャネル品質インジケータの周波数間隔と、それらに隣接する(近隣の)周波数間隔との間の平均傾斜から決定することができる。M個の好ましいチャネル品質インジケータの周波数間隔の周囲のCQIの分散から決定することができる。M個の好ましいチャネル品質インジケータの平均と、M個の好ましいチャネル品質インジケータの周波数間隔に隣接する周波数間隔のチャネル品質インジケータの平均との差から決定することができる。他の手段によって決定することもできる。
【００８０】
このように、第13の実施形態では、M個の好ましい周波数間隔のチャネル品質インジケータの平均と、M個の好ましい周波数間隔および隣接する周波数間隔のチャネル品質インジケータの平均とのいずれかが報告される。加えて、どちらの平均が送信されているかを報告するために1ビットが送信されることが好ましい。
【００８１】
第14の実施形態では、複数のチャネル品質インジケータが決定され、各チャネル品質インジケータは、複数の周波数間隔のうちのそれぞれの周波数間隔に対応する。次いで、適切な基準を使用して、複数M個の好ましいチャネル品質インジケータが選択される。M個の好ましいチャネル品質インジケータの平均が計算される。
【００８２】
報告の際、M個の好ましいチャネル品質インジケータに対応する周波数間隔の周波数位置が送信される。M個の好ましいチャネル品質インジケータの計算済み平均も報告される。送信機4中で、報告された計算済み平均がスケジューラ14によって使用されて、M個の好ましい周波数間隔(すなわちM個の好ましいチャネル品質インジケータに対応する周波数間隔)がスケジュールされる。
【００８３】
加えて、計算され報告された平均をスケジューラが追加で使用してM個の好ましい間隔に隣接する周波数間隔をスケジュールすべきかどうかについての指示が報告される。
【００８４】
M個の好ましいチャネル品質インジケータに隣接する周波数間隔は、1つまたは複数の近隣の間隔、すなわち、好ましいチャネル品質インジケータの間隔の任意の側における次の間隔であってよい。M個の好ましいチャネル品質インジケータに隣接する周波数間隔は、好ましいチャネル品質インジケータの間隔の付近にある1つまたは複数の間隔であってよい。好ましいチャネル品質インジケータに関連する周波数間隔に隣接する周波数間隔は、間隔の任意の側における任意数の周波数間隔であってよい。これは、対称または非対称の数であってよい。したがって、隣接する間隔は、一方の側のx個の間隔と、他方の側のy個の間隔を含んでよく、xとyは、同じかまたは異なり、0以上である(xとyのうちの一方は0でない)。
【００８５】
指示は送信ビットであることが好ましい。計算され報告された平均をスケジューラが使用してM個の好ましい間隔に隣接する周波数間隔をスケジュールすべきであることを示すために識別子(またはビット)が設定されるかどうかは、いくつかの方法で達成することができる。例えば、識別子は、M個の好ましいチャネル品質インジケータの周波数間隔と、それらに隣接する(近隣の)周波数間隔との間の平均傾斜に応じて設定することができる。ビットは、M個の好ましいチャネル品質インジケータの周波数間隔の周囲のCQIの分散に応じて設定することができる。ビットは、M個の好ましいチャネル品質インジケータの平均と、M個の好ましいチャネル品質インジケータの周波数間隔に隣接する(近隣の/付近の)周波数間隔のチャネル品質インジケータの平均との間の差に応じて設定することができる。ビットはまた、他の基準に応じて設定することもできる。
【００８６】
このように、第14の実施形態では、M個の好ましいチャネル品質インジケータの平均が、報告された平均を使用してこれらのM個の好ましい値に関連する間隔に隣接する間隔をスケジュールすべきかどうかについての指示と共に、報告される。
【００８７】
第15の実施形態では、複数のチャネル品質インジケータが決定され、各チャネル品質インジケータは、複数の周波数間隔のうちのそれぞれの周波数間隔に対応する。次いで、適切な基準を使用して、複数M個の好ましいチャネル品質インジケータが選択される。M個の好ましいチャネル品質インジケータの平均が計算される。加えて、M個の好ましいチャネル品質インジケータの周波数間隔に隣接する周波数間隔のチャネル品質インジケータの平均が計算される。M個の好ましいチャネル品質インジケータに隣接する周波数間隔は、1つまたは複数の近隣の間隔、すなわち、好ましいチャネル品質インジケータの間隔の任意の側における次の間隔であってよい。M個の好ましいチャネル品質インジケータに隣接する周波数間隔は、好ましいチャネル品質インジケータの間隔の付近にある1つまたは複数の間隔であってよい。加えて、送信帯域幅全体の全ての周波数間隔のチャネル品質インジケータの平均が計算される。
【００８８】
報告の際、M個の好ましいチャネル品質インジケータに対応する周波数間隔の周波数位置が送信される。M個の好ましいチャネル品質インジケータの計算済み平均である第1の平均も報告される。加えて、(i) M個の好ましいチャネル品質インジケータの周波数間隔に隣接する周波数間隔のチャネル品質インジケータの計算済み平均である第2の平均と、(ii)送信帯域幅全体の全ての周波数間隔のチャネル品質インジケータの計算済み平均である第3の平均とのいずれかが送信される。加えて、M個の好ましいチャネル品質インジケータの周波数間隔に隣接する周波数間隔の上記平均が送信されるのか、あるいは送信帯域幅全体の全ての周波数間隔のチャネル品質インジケータの上記平均が送信されるのかを示す指示が報告される。言い換えれば、この指示は、第1の平均と共に第2の平均が報告されるか第3の平均が報告されるかを示す。
【００８９】
指示は送信ビットであることが好ましい。ビットの状態は、第2の平均が送信されるか第3の平均が送信されるかを示す。
【００９０】
どちらの平均が送信されるかの選択は、いくつかの方法で決定することができる。M個の好ましいチャネル品質インジケータの周波数間隔の周囲のCQIの分散から決定することができる。第2の平均(M個の好ましいチャネル品質インジケータの周波数間隔に隣接する周波数間隔の平均CQI)と、第3の平均(送信帯域幅全体の全ての周波数間隔の平均CQI)との差から決定することができる。他の手段によって決定することもできる。
【００９１】
このように、第15の実施形態では、隣接する周波数間隔のチャネル品質インジケータの平均と、送信帯域幅全体の全ての周波数間隔のチャネル品質インジケータの平均とのいずれかと共に、M個の好ましいチャネル品質インジケータの平均が報告される。加えて、報告される平均が、M個の好ましいチャネル品質インジケータに関連する間隔に隣接する間隔を参照するのか、あるいはシステム帯域幅全体を参照するのかについての指示が報告される。
【００９２】
第16の実施形態では、複数のチャネル品質インジケータが決定され、各チャネル品質インジケータは、複数の周波数間隔のうちのそれぞれの周波数間隔に対応する。
【００９３】
次いで、特定の基準を使用して、複数M個の好ましいチャネル品質インジケータが選択される。基準は、個々の周波数間隔に関連するメトリックに基づく。したがって、個々の周波数間隔ごとにメトリックが提供される。各周波数間隔のメトリックは、特定の周波数間隔を中心とした1つまたは複数の周波数間隔についてのチャネル品質情報に基づく。メトリックは、メトリックが決定されている対象である特定の周波数間隔を含む周波数間隔のグループについての平均チャネル品質インジケータとして決定されることが好ましい。
【００９４】
例えば、メトリックは、k番目の周波数間隔について、k±1の周波数間隔のグループから決定することができる。この好ましい例では、メトリックは、k番目の周波数間隔を中心としたk±1の周波数間隔にわたる平均チャネル品質インジケータとして決定することができる。
【００９５】
このようにして周波数間隔ごとに適切なメトリックを計算する一例を、さらに以下のように説明することができる。
周波数間隔1に対しては、周波数間隔1および2にわたる平均CQIとして計算されたメトリックを割り当てる。
周波数間隔2に対しては、周波数間隔1、2、3にわたる平均CQIとして計算されたメトリックを割り当てる。
周波数間隔3に対しては、周波数間隔2、3、4にわたる平均CQIとして計算されたメトリックを割り当てる。
...
周波数間隔kに対しては、周波数間隔k-1、k、k+1にわたる平均CQIとして計算されたメトリックを割り当てる。
...
周波数間隔N(Nは周波数間隔の総数)に対しては、周波数間隔N-1およびNにわたる平均CQIとして計算されたメトリックを割り当てる。
【００９６】
各周波数間隔の決定されたメトリックに基づいて、M個の好ましい周波数間隔が選択される。好ましい一実施形態では、M個の最良メトリック、すなわちM個の最良の計算済み平均が選択される。
【００９７】
報告は、知られている任意の従来技法、または本明細書に述べる任意の実施形態に従うことができる。したがって、M個の好ましいチャネル品質インジケータの平均を報告することができる。第16の実施形態による、M個の好ましいチャネル品質インジケータを選択する好ましい技法は、第13または第14または第15の実施形態など、前述の任意の実施形態において実施することができる。CQI報告方式の実施は、このように、本明細書に述べる任意の技法、または当技術分野ですでに知られている任意の技法に従うことができる。
【００９８】
第17の実施形態では、M個の好ましいチャネル品質インジケータに関連する周波数間隔に隣接する周波数間隔における送信をスケジュールするために、報告されたチャネル品質情報を送信機中のスケジューラ14によって使用することができる。
【００９９】
一般に、スケジューラは、選択された周波数間隔についてのチャネル品質インジケータ情報を受け取る。第17の実施形態によれば、スケジューラは、選択された周波数間隔についてのチャネル品質インジケータ情報に応じて、少なくとも1つの他の周波数間隔における送信をスケジュールすることができる。
【０１００】
選択された周波数間隔は、M個の好ましいチャネル品質インジケータ情報を有する間隔とすることができる。少なくとも1つの他の周波数間隔は、選択された周波数間隔に隣接する間隔であることが好ましい。
【０１０１】
このように、本明細書に述べた全ての実施形態、および任意の従来技術の実施形態において、本発明の第17の実施形態に従って述べたさらに別の修正によれば、送信機におけるスケジューラは、選択された周波数間隔についての報告された任意のチャネル品質情報を、別の周波数間隔(好ましくは隣接する周波数間隔)における送信のスケジューリングに使用されるように利用することができる。
【０１０２】
本明細書に述べた全ての実施形態で、好ましい一実装形態では、M個の好ましい周波数間隔は、M個の最良の周波数間隔に応じて選択される。
【０１０３】
本明細書に述べた任意の実施形態で、隣接する周波数間隔に言及する場合、隣接の定義は、第14の実施形態に関して上に論じたように理解すべきである。隣接する周波数間隔に関連する値が平均される場合、これは、間隔の一方の側のいくつかもしくは全て、間隔の他方の側のいくつかもしくは全て、または間隔の両方の側のいくつかもしくは全ての値を平均することを含むことができる。
【０１０４】
述べた各実施形態では、CQIフィードバックの一部である一連の数量がある。例えば、これらの量は、M個の好ましい周波数間隔の位置を含むことができ、また、M個の好ましい周波数間隔およびそれらに隣接する2M個の周波数間隔の平均を含むこともできる。全ての実施形態で、移動局やユーザ機器などの受信機は、追加で、「広帯域」CQI平均、すなわち帯域全体の全てのCQIの平均を報告することができる。帯域全体は、システム帯域幅または受信機の動作帯域幅とすることができる。したがって、述べた任意の実施形態では、これらの実施形態について述べた平均を含むCQI情報の送信に加えて、「広帯域」CQI平均である、さらに別の平均を送信してもよい。
【０１０５】
前述の実施形態は、チャネル相関を通して利用可能な情報、例えば隣接するまたは付近の周波数間隔の傾斜または平均を使用することにより、既知の方式とは異なる。この情報を報告することの主な利点は、より多くの機会をスケジューラに与えることである。隣接するまたは付近の周波数間隔に関する追加情報は、ユーザを別の周波数間隔上でスケジュールする可能性を加えるので、最初は余分の冗長情報と見なされるはずである。この情報の送信はまた、圧縮方式と見なすこともできる。というのは、隣接するまたは付近の周波数間隔のCQI値の変形およびインデックスを報告することは、実際の個別のCQIを報告する場合よりも、必要とされるビットが少ないからである。
【０１０６】
提案するCQIフィードバック方式は、以下の利点を有する。
-  より多くのスケジューリング機会を与えることにより、マルチユーザダイバーシティ利得を増大させる。
-  より多くのスケジューリング機会、およびチャネルに関するより多くの情報を提供することにより、ユーザ衝突を低減させる。
-  特に多入力多出力(MIMO)送信システムの場合に、シグナリングオーバヘッドを低減させる。
-  より多くの情報を提供するので、よりよいチャネル追跡を可能にする。このことを利用して、時間領域におけるシグナリングオーバヘッドを低減させることができる(より長期間のCQI報告を通して)。
【０１０７】
本発明はまた、空間ストリームごとのCQIを報告する必要のあるMIMO送信方式でも適用することができる。このように、本発明で述べたCQIフィードバック方式は、チャネルの空間相関を利用してそれによりCQIシグナリングオーバヘッドをさらに低減させるために、使用することができる。このオーバヘッド低減は、多数のアンテナおよび多数のユーザを含むシステムにも、さらにより有益である。
(参考文献)
【符号の説明】
【０１０８】
2  受信機
4  送信機
6  ワイヤレスチャネル
8  プロセッサ
10  プロセッサ
12  チャネル品質インジケータ(CQI)
14  パケットスケジューラ
30  入来チャネル関連パラメータ
32 CQI計算ブロック
34 CQI選択ブロック
36  傾斜計算ブロック
38  平均計算ブロック
40 CQI再構築ブロック
【図１】
0005501973.tif 000002
【図２】
0005501973.tif 000003
【図３】
0005501973.tif 000004
【図４】
0005501973.tif 000005
【図５】
0005501973.tif 000006